(57)【要約】      （修正有）【課題】電源ケーブル等における、防水輪及びケーブル固定ヘッドを提供する。【解決手段】該防水輪１０は、第１端面及び第２端面を有し、該第１端面上に複数の防水凸縁を有し、該第２端面上に隆起状を呈する定位防水凸部１２１を有し、該ケーブルヘッドは、接続環を含み、該接続環は、更に係止段２４４及び該係止段から軸向きに延伸する第１接続段２４２を含む。該第１接続段は上部に第１外ねじ山２４５を有し、該係止段上に係合面２４６を有し、該係合面は、該定位防水凸部を定位、緩み防止する定位凹溝２４８を含む。これにより、該防水輪が該ケーブル固定ヘッド２０の第１接続段上に位置し、該防水凸縁又は該定位防水凸部で該係合面上に選択的に係合し、ケーブルが外接するハウジング９６に更に結合し、防水効果が増加する。【選択図】図１０
0003161329.tif 000002
【実用新案登録請求の範囲】
【請求項１】
防水輪を含み、該防水輪が輪体であり、その軸向きに沿って第１端面及び該第１端面の背面に位置する第２端面を区切り、且つ該第１端面上に環状を呈し、同心円方式で配列する複数の防水凸縁を凸設し、該第２端面上に円凸状に隆起する定位防水凸部を凸設する防水輪及びケーブル固定ヘッド。
【請求項２】
前記防水輪は、ケーブル固定ヘッドに結合し、該ケーブル固定ヘッドは、接続環と、嵌合溝を含み、該接続環は、更に係止段及び該係止段から軸向きに延伸する第１接続段を含み、該第１接続段上に第１外ねじ山を有し、該嵌合溝が前記の第１外ねじ山及び係止段の間に位置し、該係止段が係合面を有し、該係合面上に定位凹溝を凹陥し、該防水輪の定位防水凸部が該定位凹溝中に嵌合する請求項１記載の防水輪及びケーブル固定ヘッド。
【請求項３】
前記ケーブル固定ヘッドは、更に外蓋と、挟持爪と、パッキン輪と、を含み、該外蓋は、軸向きに貫通する通孔と、該通孔内壁面上に形成される第１斜面と、該通孔内壁面上に形成される内ねじ山と、を有し、該挟持爪は、軸向きに貫通する貫通孔を有し、該挟持爪の一端縁上に第２斜面を有し、該貫通孔の内壁面上にパッキン凸部を形成し、該挟持爪は、該外蓋の通孔中に位置し、該第１斜面で該第２斜面と係合する請求項１記載の防水輪及びケーブル固定ヘッド。
【請求項４】
前記パッキン輪は、更に、第１パッキン段及び第２パッキン段を含み、軸向きに貫通する通孔を有し、該通孔は、電源ケーブル又は電源ケーブル及び波管を同時に穿合し、該第１パッキン段の内壁面上にフック部を凸設し、該第２パッキン段の外周面上に第１傾斜錘面を形成し、該第２パッキン段の外周面上にさらに凹陥する溝を環状に設け、該パッキン輪は、該挟持爪の貫通孔中に位置し、該頚部で該パッキン凸部を嵌合させ、該接続環は、更に、第２接続段及び第２傾斜錘面を含み、該第２接続段は、第２外ねじ山を有し、該第２外ねじ山が外蓋の内ねじ山と螺合し、該第２傾斜錘面が該接続環内側に位置し、該パッキン輪の第１傾斜錘面を該接続環の第２傾斜面上に結合させ、該パッキン輪の第１パッキン段及び第２パッキンが電源ケーブル上に同時に拘束されるか、第１パッキン段及び第２パッキン段がそれぞれ波管及び電源ケーブル上に拘束される請求項３記載の防水輪及びケーブル固定ヘッド。
【考案の詳細な説明】
【技術分野】
【０００１】
本考案は、防水輪及びケーブル固定ヘッドに関する。
【背景技術】
【０００２】
電源ケーブルは、外力を受け伸縮し易く、固定ヘッドの接続位置の防水輪及び箱体間で変位し易く、箱体内部に浸水する状況が発生する。
【０００３】
従来の構造が採用する防水輪は、通常、中空のＯ型ゴム環又はゴムパッドであり、該従来のゴム環又はゴムパッドがケーブル固定ヘッド及び信号出力装置又は信号受信装置（ハウジング又は基板）間に結合され、緊密接合度が良好ではなく、引き伸ばされ、押しつぶされ、変形する状況があり、防水性が不足する問題が発生し易い。
【０００４】
上記の従来の構造は、ゴム輪を利用し、基板及び固定ヘッド間の被挟持物とするが、基板がゴム輪と係合する端面が平面であり、固定ヘッドがゴム輪と係合する端面も平面であり、該ゴム輪及び基板平面に粉塵の微粒が散布される時、微細な水滴が平方センチメートル辺り数百万個に達することができるので、従来のゴム輪が固定ヘッドに組み合わせ基板上に固定される時、該水滴分子微粒は、基板内部に侵蝕危害を発生し易い。
【０００５】
前記従来の防水輪は、最も良く見られる中空片状のゴム輪又は厚みを有するゴム輪がケーブル固定ヘッドに結合する中間にあり、一端が係止面に係止し、他端が上記の固定ヘッドにおいて、防水輪及び基板の結合に合わせて固定され、従来の固定ヘッドは、凹溝を有し防水輪と合わせて定位又は脱離防止を行なっておらず、往々にして使用者が力を入れて回転させ過ぎ、防水輪を圧迫する受圧力が閾値（threshold）を超え、防水輪に変形が生じ、固定位置から滑り出て浸水が生じする。
【０００６】
また、上記の固定ヘッド構造は、該従来の防水輪の組み立て過程において、該外蓋を結合しない状況又は使用者が携帯移動する状況で、往々にして該防水輪が不注意で落ちることがあり、使用者にとって不便であり、仕事効率に悪影響を及ぼす。
【先行技術文献】
【特許文献】
【０００７】
【特許文献１】特開２００３−７１１６号公報
【考案の概要】
【考案が解決しようとする課題】
【０００８】
本考案の目的は、防水輪を提供し、該係止段の係合面に粉塵微粒が散布される時、該防水輪の防水凸縁が粉塵微粒の隙間を回避し、防水効果を増進することができ、又は、該防水輪及び基板壁面に粉塵微粒が散布される時、該防水輪の防水凸縁が粉塵微粒の隙間を回避し、防水効果を増進することができるようにすることである。
【０００９】
本考案のもう１つの目的は、防水輪をケーブル固定ヘッドに組み合わせ、特殊な定位、緩み防止を構成する防水構造を提供し、使用者が力を入れ過ぎ、該固定ヘッドを回転させ、結合し、該防水輪をパッキングし、防水輪の受力が閾値（threshold）を超過する時、該防水輪は、該固定ヘッドの定位凹溝中で回転でき、詰まることがなく、防水輪のパッキングが変形し浸水する欠陥を防止することができるようにすることである。
【課題を解決するための手段】
【００１０】
上記目的を達成する為、本考案が提供する防水輪及びケーブル固定ヘッドは、防水輪を含み、該防水輪が輪体であり、その軸向きに沿って第１端面及び該第１端面の背面に位置する第２端面を区切り、且つ該第１端面上に環状を呈し、同心円方式で配列する複数の防水凸縁を凸設し、該第２端面上に円凸状に隆起する定位防水凸部を凸設する。
【００１１】
該防水輪は、ケーブル固定ヘッドを結合し、該ケーブル固定ヘッドは、接続環及び外蓋を含み、該接続環は、更に係止段及び該係止段から軸向きに延伸する第１接続段を含み、該第１接続段上に第１外ねじ山を有し、該係止段上に係合面を有する。
該防水輪は、該ケーブル固定ヘッドの第１接続段上に被され、該防水凸縁又は定位防水凸部で、該係合面上に係合する。
【００１２】
本考案は、下記の特徴を有する。
（１）防水輪を含み、該防水輪が輪体であり、その軸向きに沿って第１端面及び該第１端面の背面に位置する第２端面を区切り、且つ該第１端面上に環状を呈し、同心円方式で配列する複数の防水凸縁を凸設し、該第２端面上に円凸状に隆起する定位防水凸部を凸設する防水輪及びケーブル固定ヘッド。
（２）前記防水輪は、ケーブル固定ヘッドに結合し、該ケーブル固定ヘッドは、接続環と、嵌合溝を含み、該接続環は、更に係止段及び該係止段から軸向きに延伸する第１接続段を含み、該第１接続段上に第１外ねじ山を有し、該嵌合溝が前記の第１外ねじ山及び係止段の間に位置し、該係止段が係合面を有し、該係合面上に定位凹溝を凹陥し、該防水輪の定位防水凸部が該定位凹溝中に嵌合する（１）記載の防水輪及びケーブル固定ヘッド。
（３）前記ケーブル固定ヘッドは、更に外蓋と、挟持爪と、パッキン輪と、を含み、該外蓋は、軸向きに貫通する通孔と、該通孔内壁面上に形成される第１斜面と、該通孔内壁面上に形成される内ねじ山と、を有し、該挟持爪は、軸向きに貫通する貫通孔を有し、該挟持爪の一端縁上に第２斜面を有し、該貫通孔の内壁面上にパッキン凸部を形成し、該挟持爪は、該外蓋の通孔中に位置し、該第１斜面で該第２斜面と係合する（１）記載の防水輪及びケーブル固定ヘッド。
（４）前記パッキン輪は、更に、第１パッキン段及び第２パッキン段を含み、軸向きに貫通する通孔を有し、該通孔は、電源ケーブル又は電源ケーブル及び波管を同時に穿合し、該第１パッキン段の内壁面上にフック部を凸設し、該第２パッキン段の外周面上に第１傾斜錘面を形成し、該第２パッキン段の外周面上にさらに凹陥する溝を環状に設け、該パッキン輪は、該挟持爪の貫通孔中に位置し、該頚部で該パッキン凸部を嵌合させ、該接続環は、更に、第２接続段及び第２傾斜錘面を含み、該第２接続段は、第２外ねじ山を有し、該第２外ねじ山が外蓋の内ねじ山と螺合し、該第２傾斜錘面が該接続環内側に位置し、該パッキン輪の第１傾斜錘面を該接続環の第２傾斜面上に結合させ、該パッキン輪の第１パッキン段及び第２パッキンが電源ケーブル上に同時に拘束されるか、第１パッキン段及び第２パッキン段がそれぞれ波管及び電源ケーブル上に拘束される（３）記載の防水輪及びケーブル固定ヘッド。
【考案の効果】
【００１３】
本考案の有益効果は、防水輪がケーブル固定ヘッドの第１接続段上に被せられ、該防水輪が該固定ヘッドに組み合わせ、ハウジングの螺子孔内に螺合固定する時、該防水凸縁が該係止段に係合する係合面上に緊迫力を受け、該ケーブル固定ヘッドの回転が該防水輪を圧迫し、複数の防水凸縁をパッキングする。該係止段の係合面に粉塵微粒が散布される時、該防水輪の防水凸縁は、粉塵微粒の隙間を回避することを防止し、防水効果を増進し、或いは該防水輪及び基板壁面に粉塵微粒を散布する時、該防水輪の防水凸縁が粉塵の隙間を回避することを防止し、防水効果を増進する。
【００１４】
該防水輪がケーブル固定ヘッドを組み合わせ、特殊な定位、緩み防止の防水構造を構成し、上記の防水輪及びケーブル固定ヘッドを利用し、そのうち、該ケーブル固定ヘッド接続環の係止段の任意の一側の係合面上に定位凹溝を凹陥し、該防水輪の定位防水凸部が該定位凹溝中に嵌合し、定位、緩み防止し、該防水輪が上記の固定ヘッドのハウジングへの結合又はその他の結合方式で第１外ねじ山又は第２外ねじ山にパッキングされ、使用者が力を入れ過ぎ、該固定ヘッドを回転させ、結合し、該防水輪をパッキングし、防水輪の受力が閾値（threshold）を超過する時、該防水輪は、該定位凹溝中で回転し、詰まることがなく、防水輪のパッキングが変形し、浸水することを防止し、同時に、緩み防止の作用を備える。
【００１５】
該ケーブル固定ヘッドは、ケーブル又はケーブル及び波管に対して双パッキンの効果をなすことができる。
【図面の簡単な説明】
【００１６】
【図１】本考案の防水輪の側面図である。
【図２】本考案の防水輪の第１端面図である。
【図３】本考案の防水輪の第２端面図である。
【図４】本考案の第１好適実施例の分解断面図である。
【図５】図４が示す実施例の組み合わせ断面図である。
【図６】図４が示す実施例の使用状態説明図であり、電源ケーブルと組み合わせる時の状態を主に表示する。
【図７】図４が示す実施例の使用状態説明図であり、電源ケーブル及び波管と組み合わせる時の状態を主に表示する。
【図８】本考案の第２好適実施例の分解断面図である。
【図９】図８が示す実施例の組み合わせ断面図である。
【図１０】図８が示す実施例の使用状態説明図であり、電源ケーブル及び波管と組み合わせる時の状態を主に表示する。
【図１１】本考案の第３好適実施例の分解断面図である。
【図１２】図１１が示す実施例の組み合わせ断面図である。
【図１３】図１１が示す実施例の使用状態説明図であり、電源ケーブル及び波管と組み合わせる時の状態を主に表示する。
【考案を実施するための形態】
【００１７】
本考案の防水輪は、各種異なる構造のケーブル固定ヘッドに合わせることができ、ケーブルを異なる固定物上に固定する。本考案の特徴及び利点をより分かり易くする為、以下に実施例を挙げ、図面に併せて説明を行なう。
【００１８】
図１〜図５は、本考案の第１好適実施例が提供する防水輪及びケーブル固定ヘッド１００であり、防水輪１０と、ケーブル固定ヘッド２０と、を含む。
【００１９】
図１、図３を参照し、該防水輪１０は、環体であり、弾性材、例えば、ゴム又はシリコンゲル材質から形成され、その軸向きに沿って第１端面１１及び該第１端面１１背面に位置する第２端面１２を区切り、且つ該第１端面１１上に環状を呈し、同心円方式で配列する複数の防水凸縁１１１を凸設し、該第２端面１２上に円凸状に隆起する定位防水凸部１２１を凸設し、前記第２端面１２は、更に防水凸縁１２２を含み、該防水凸縁１２２は、円凸状に隆起し、該定位防水凸部１２１の側辺を囲う。
【００２０】
図４及び図７において、該ケーブル固定ヘッド２０は、外蓋２１と、挟持爪２２と、パッキン環２３と、接続環２４と、を含み、該接続環２３は、更に係止段２４４と、その軸向きに該係止段２４４の一端から凸伸する第１接続段２４２と、第２傾斜錘面２４１と、を含み、該第２傾斜錘面２４１は、該接続環２４内側に形成され、該第１接続段２４２に相対する他端に第２接続段２４３を形成し、該第１接続段２４２上に第１外ねじ山２４５を形成し、且つ該第１接続段２４２の外径は、該係止段２４４の外径より小さく、該係止段２４４を該第１接続段２４２に隣接する端面上に係合面２４６を形成する。該第２接続段２４３上に第２外ねじ山２４７を形成する。
【００２１】
実際の使用時、該防水輪１０は、該ケーブル固定ヘッド２０の第１接続段２４２上に被せられ（即ち、該第１接続段が該防水輪の軸向き内部に穿合する）、該防水輪１０の第１端面１１を該係止段２４４の係合面２４６に向かせる。このように、該第１接続段２４２上の第１外ねじ山２４５がハウジングの螺孔と螺合し、該防水凸縁１１１で係合面２４６と緊迫した係合を行い、該防水凸縁１１１は、ハウジング壁面の粉塵微粒を回避し、粉塵の隙間から該ハウジング内に水分が進入することを防止する。
【００２２】
上記の防水輪１０は、そのうち、第１端面上に複数の防水凸縁１１１を設け、第２端面１２が定位防水凸部１２１を有し、弾性材料のＯ型環形状設計を利用するので、弾性変形能力がより良好で、外力が過大な回転がパッキングを破壊することを克服するのに十分であり、従来の防水パッド又は防水パッドリングの弾性変形能力が不足する欠陥を解決する。
【００２３】
前記固定ヘッド構造は、更に嵌合溝２４９を含み、該嵌合溝２４９は、前記第１外ねじ山段２４５又は第２外ねじ山段２４７と、係止段２４との間に位置し、防水輪１０を被せ、該嵌合溝２４９中に固定すれば、使用者が該固定ヘッド２０を携帯し、移動する過程において、該防水輪１０は、脱落することがなく、必然的に仕事効率を補助する。
【００２４】
図４、図７、図８において、上記のケーブル固定ヘッド２０の外蓋２１は、更に、軸向きに貫通する通孔２１１と、該通孔２１１内壁面上に形成する第１傾斜面２１２と、該通孔２１１内壁面上に形成する内ねじ山２１３と、を含む。
【００２５】
該挟持爪２２は、中空体であり、複数の爪部２２１を有し、該挟持爪２２は、貫通孔２２２を軸向きに貫通し、該挟持爪２２は、該爪部２２１の外端縁上に第２斜面２２３を有し、該貫通孔２２２の該爪部に対応する内壁面上に環状のパッキン凸部２２４を形成する。
【００２６】
該パッキン輪２３は、弾性変形能力を有する材質、例えば、ゴム材質から形成される。該パッキン輪２３は、第１パッキン段２３１及び第２パッキン段２３２により一体に接続してなり、軸向きに貫通する通孔２３３を有し、且つ該第２パッキン段２３２は、自由端縁から徐々に縮小し、その外径及び内径が錘状を呈し、該第１パッキン段２３１の外周面上に環状に凹陥する頚部２３４を形成し、該第２パッキン段２３２の外周面上に第１傾斜錘面２３５を形成する。
【００２７】
該パッキン輪２３の第１パッキン段２３１が該挟持爪２２の貫通孔２２２中に穿合し、該挟持爪２２のパッキン凸部２２４が該パッキン輪２３の頚部２３４内に嵌合し、該パッキン輪２３の第２パッキン段２３２を該接続環２４の内部に穿合し、該接続環２４の第２外ねじ山２４７により該外蓋２１の内ねじ山２１３と螺合し、該挟持爪２２の第２斜面２２３を該外蓋２１の第１傾斜面２１２に対応する相対位置上に位置させ、該パッキン輪２３の第１傾斜錘面２３５は、該接続環２４の第２傾斜錘面２４に対応する相対位置上に位置する。
【００２８】
図６に示すように、本考案が電源ケーブル９９と接続する時、該電源ケーブル９９を外蓋２１の貫通孔２１１から貫通させ、電源ケーブル９９を該パッキン輪２３の通孔２３３内に貫通させ、該電源ケーブル９９をしっかり固定しようとする時、該外蓋２１を堅く回転させ（即ち、該外蓋２１を接続環２４の方向に回転）、該外蓋２１の第１斜面２１２に該挟持爪２２の第２斜面２２３の係止を開始させ、該パッキン輪２３の第１パッキン段２３１に拘束状態を開始させ、該パッキン輪２３が受力する位置に変形を発生させ、即ち、該第１パッキン段２３１の頚部２３４内壁面に変形を開始させ、該電源ケーブル９９上に拘束し、該電源ケーブル９９に対してパッキングする第１パッキン領域を形成し、外蓋２１が回転すると同時に、該パッキン輪２３の第２パッキン段２３２の第１傾斜錘面２３５は、該接続環２４の第２傾斜錘面２４１に圧迫され、該電源ケーブル９９上へのパッキングに変形を生じ、電源ケーブル９９に対してパッキングする第２パッキング領域を形成する。
【００２９】
電源ケーブル９９に同時にパッキン輪２３の第１パッキン段２３１及び第２パッキン段２３２の圧迫を受けさせ、双パッキンの効果を達成し、電源ケーブルが外力の作用を受け、引き伸ばされ、脱離する状況を防止する。
【００３０】
図７において、本考案の防水輪及びケーブル固定ヘッド１００が波管９７を被せた電源ケーブル９９と接続する時、それは、電源ケーブル９９をパッキン輪２３に通孔２３３中に貫通させ、電源ケーブル９９を外部露出する（波管の被覆を受けない）部分を第２パッキン段２３２中に位置させ、波管９７は、第１パッキン段中に位置し、該第１パッキン段２３１及び第２パッキン段２３２に受力し、変形を開始する時、該第１パッキン段２３１により該波管９７上に堅固に拘束され、該第２パッキン段２３２は、該電源ケーブル９９上に堅固に拘束され、双パッキンの態様を同様に達成することができ、その差異は、ただ、それぞれ波管及び電源ケーブルをパッキングすることにあり、電源ケーブル上に双パッキングするのではないが、同様に本考案の目的を達成することができる。
【００３１】
図８〜図１０において、本考案の第２好適実施例が提供する防水輪及びケーブル固定ヘッド３００を示し、それは、第１好適実施例と同様に防水輪１０及びケーブル固定ヘッド２０を含むが、その主要な差異は以下にある。
【００３２】
本実施例の接続環２３の係止段２４４の係合面２４６上に更に定位凹溝２４８を凹陥する。該防水輪１０の定位凸部１２１を該定位凹溝２４８に向け、該定位凹溝２４８で該防水輪１０の定位防水凸部を嵌合させ、前期の状況、例えば、該防水輪１０を利用し、該ケーブル固定ヘッド２０を結合し、ケーブルをハウジング９６に固定する時、該ハウジング９６の内ねじ山を有する螺子孔９６１が固定ヘッド２０の第１接続段２４２の外ねじ山２４５上に螺合し、該ハウジング９６を押し上げ、該防水輪１０を圧迫し、その防水効果は前記同様であり、該防水輪１０の防水凸縁１１１は、ハウジング９６上に係合し、該ハウジング壁面と結合箇所は、ハウジング壁面の粉塵微粒を回避することができ、水分子が粉塵の隙間から該ハウジング内に進入することを防止し、防水効果を増加し、接続環２４及びハウジング９６間の嵌合効果を良好にするだけでなく、更に、該防水輪１０の定位防水凸部１２１が該定位凹溝２４８中に嵌合し、定位、緩み防止し、該防水輪１０が上記のハウジング９６の螺子孔９６１を受け、第１外ねじ山２４２を螺合し、該防水輪１０を回転圧迫し、パッキングが該防水輪の受力閾値（threshold）を超える時、該防水輪１０が回転することができ、詰まることがなく、防水輪１０のパッキングが変形し、過度に離脱し、浸水が発生することを防止し、同時に緩み防止の小夜を有する。
【００３３】
更に、前記の第２端面１２は、更に定位防水凸部１２１の一側辺に形成される少なくとも１つの防水凸縁１２２を含み、該防水凸縁１２２は、第２端面１２が防水及び防塵機能を更に増加するように補助することができる。
【００３４】
上記の波管９７は、広義に稀釈されるべきであり、１種の構造又は材料に限定するものでなく、同時に、例えば、螺旋状の蛇管、一般の等間隔の波管を含み、金属、プラスチック又はゴム材質等を含む。
【００３５】
図１１〜図１３において、本考案の第３好適実施例が提供する防水輪及びケーブル固定ヘッド２００は、前記実施例と同様に防水輪１０及びケーブル固定ヘッド２０を含むが、その主要な差異は、以下にある。
【００３６】
本実施例のケーブル固定ヘッド２０のパッキン輪２３の第１パッキン段２３１の内壁面上に更にフック部２３７を凸設し、電源ケーブル９９及び波管９７を貫通させる時、該フック部２３７から該波管９７外周面が形成する凹溝中に嵌合することができ、波管９７をパッキングする固定効果を良好にする。
【００３７】
上記のパッキン輪２３は、第２パッキン段２３２の外周面上に更に凹陥する溝２３６を設け、比較的大きな直径の電源ケーブルに対して接続パッキングを行なおうとする時、該溝２３６が該第２パッキン段２３２に位置する端縁を切除することができ、大きな直径の電源ケーブルに対して双パッキンの効果をなすことに有利である。但し、その切除の領域の大きさは、実際の電源ケーブルの直径により定めることができる。
【００３８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３９】
「第１好適実施例」
１００  防水輪及びケーブル固定ヘッド
１０  防水輪
１１  第１端面
１１１  防水凸縁
１２  第２端面
１２１  定位防水凸部
１２２  防水凸縁
２０  ケーブル固定ヘッド
２１  外蓋
２１１  通孔
２１２  第１斜面
２１３  内ねじ山
２２  挟持爪
２２１  爪部
２２２  貫通孔
２２３  第２傾斜面
２２４  緊迫凸部
２３  パッキン輪
２３１  第１緊迫段
２３４  頚部
２３２  第２緊迫段
２３５  第１傾斜錘面
２３３  通孔
２３６  溝
２４  接続環
２４１  第２傾斜錘面
２４２  第１接続段
２４５  第１外ねじ山
２４３  第２接続段
２４７  第２外ねじ山
２４４  係止段
２４６  係合面
２４９  嵌合溝
９９  電源ケーブル
９７  波管
「第２好適実施例」
３００  防水輪及びケーブル固定ヘッド
１０  防水輪
１２１  定位防水凸部
２０  ケーブル固定ヘッド
２４  接続環
２４２  第１接続段
２４４  係止段
２４５  第１外ねじ山
２４６  係合面
２４８  定位凹溝
９６  ハウジング
９６１  螺子孔
「第３好適実施例」
２００  防水輪及びケーブル固定ヘッド
１０  防水輪
２０  ケーブル固定ヘッド
２３  パッキン輪
２３１  第１緊迫段
２３７  フック部
９９  電源ケーブル
９７  波管
【図１】
0003161329.tif 000003
【図２】
0003161329.tif 000004
【図３】
0003161329.tif 000005
【図４】
0003161329.tif 000006
【図５】
0003161329.tif 000007
【図６】
0003161329.tif 000008
【図７】
0003161329.tif 000009
【図８】
0003161329.tif 000010
【図９】
0003161329.tif 000011
【図１０】
0003161329.tif 000012
【図１１】
0003161329.tif 000013
【図１２】
0003161329.tif 000014
【図１３】
0003161329.tif 000015